(57)【要約】【課題】服用者に処方薬が渡されるまでの過程において処方薬を収容する容器が適切に保護される薬セットを提供する。【解決手段】薬セット１は服用条件に応じて分類された処方薬を個別に収容する複数の容器をまとめて取り扱うことができるように構成された小セット１０と、小セット１０を収容する収容部５０と、収容部５０に収容された小セット１０を引き出すことができるように収容部５０に形成された開口部８０とを含む外箱４０とを備える。【選択図】図２
2018201649.tif 000002
【特許請求の範囲】
【請求項１】
服用条件に応じて分類された処方薬を個別に収容する複数の容器をまとめて取り扱うことができるように構成された小セットと、
前記小セットを収容する収容部と、前記収容部に収容された前記小セットを引き出すことができるように前記収容部に形成された開口部とを含む外箱とを備える
薬セット。
【請求項２】
前記外箱は前記開口部を開閉する外箱蓋をさらに含む
請求項１に記載の薬セット。
【請求項３】
前記外箱蓋は前記収容部と接続されている
請求項２に記載の薬セット。
【請求項４】
前記開口部は前記収容部の側部に形成され、
前記外箱蓋は前記収容部の底と接続されている
請求項３に記載の薬セット。
【請求項５】
前記収容部は四角形状の筒、前記筒の一方の開口を閉じる背壁、および、前記筒の他方の開口である前記開口部を含む
請求項１〜４のいずれか一項に記載の薬セット。
【請求項６】
前記小セットは前記外箱の幅方向および奥行き方向において前記外箱にフィットするように構成されている
請求項１〜５のいずれか一項に記載の薬セット。
【請求項７】
前記外箱は前記外箱内の空間を複数の領域に区画する区画部をさらに備える
請求項１〜６のいずれか一項に記載の薬セット。
【請求項８】
前記小セットを前記外箱に対してスライドさせることができるように構成されたスライド構造をさらに備える
請求項１〜７のいずれか一項に記載の薬セット。
【請求項９】
前記容器に収容された前記処方薬に関する情報を表示する表示部をさらに含む
請求項１〜８のいずれか一項に記載の薬セット。
【発明の詳細な説明】
【技術分野】
【０００１】
本発明は薬セットに関する。
【背景技術】
【０００２】
例えば非特許文献１に開示されるように、処方薬を薬局から服用者の居所に配送するサービスが知られている。
【先行技術文献】
【非特許文献】
【０００３】
【非特許文献１】http://www.argus01.com/cont12/main.html
【発明の概要】
【発明が解決しようとする課題】
【０００４】
処方薬が服用者の居所に配送される場合、服用者に処方薬が渡されるまでの過程において処方薬を収容する容器が適切に保護されることが好ましい。
【課題を解決するための手段】
【０００５】
(１)本発明に関する薬セットは服用条件に応じて分類された処方薬を個別に収容する複数の容器をまとめて取り扱うことができるように構成された小セットと、前記小セットを収容する収容部と、前記収容部に収容された前記小セットを引き出すことができるように前記収容部に形成された開口部とを含む外箱とを備える。
上記薬セットによれば、小セットが外箱に収容されるため、服用者に処方薬が渡されるまでの過程において処方薬を収容する容器が適切に保護される。また、外箱内に収容されている小セットを外箱の開口部から引き出すことができるため、小セットの取り扱いに関する作業性が向上する。
【０００６】
(２)好ましい例では(１)に記載の薬セットにおいて、前記外箱は前記開口部を開閉する外箱蓋をさらに含む。
このため、薬セットの配送時において小セットの全体が保護される。
【０００７】
(３)好ましい例では(２)に記載の薬セットにおいて、前記外箱蓋は前記収容部と接続されている。
このため、薬セットの配送のための準備時において外箱蓋により開口部を閉じる作業が確実に実施される。
【０００８】
(４)好ましい例では(３)に記載の薬セットにおいて、前記開口部は前記収容部の側部に形成され、前記外箱蓋は前記収容部の底と接続されている。
このため、外箱蓋が収容部の開口部を開放した状態において、外箱蓋が開口部を閉じる方向に移動しにくく、小セットの取り扱いに関する作業性がより向上する。
【０００９】
(５)好ましい例では(１)〜(４)のいずれか一項に記載の薬セットにおいて、前記収容部は四角形状の筒、前記筒の一方の開口を閉じる背壁、および、前記筒の他方の開口である前記開口部を含む。
このため、複数の薬セットを容易に整列して配置できる。
【００１０】
(６)好ましい例では(１)〜(５)のいずれか一項に記載の薬セットにおいて、前記小セットは前記外箱の幅方向および奥行き方向において前記外箱にフィットするように構成されている。
このため、薬セットの配送時において外箱内での小セットの移動がより確実に抑えられ、小セットが変形および破損するおそれが一層低減される。
【００１１】
(７)好ましい例では(１)〜(６)のいずれか一項に記載の薬セットにおいて、前記外箱は前記外箱内の空間を複数の領域に区画する区画部をさらに備える。
このため、外箱内に形成された複数の領域のそれぞれに小セットを挿入でき、小セットを外箱内に入れるときの作業性が向上する。
【００１２】
(８)好ましい例では(１)〜(７)のいずれか一項に記載の薬セットにおいて、前記小セットを前記外箱に対してスライドさせることができるように構成されたスライド構造をさらに備える。
このため、小セットを外箱内から容易に引き出すことができる。
【００１３】
(９)好ましい例では(１)〜(８)のいずれか一項に記載の薬セットにおいて、前記容器に収容された前記処方薬に関する情報を表示する表示部をさらに含む。
このため、処方薬に関する情報を容易に把握できる。
【発明の効果】
【００１４】
本発明に関する薬セットによれば、服用者に処方薬が渡されるまでの過程において処方薬を収容する容器が適切に保護される。
【図面の簡単な説明】
【００１５】
【図１】実施形態の薬セットの斜視図。
【図２】図１の外箱の開口部が開放された状態を示す斜視図。
【図３】図２の薬セットの正面図。
【図４】図１の小セットおよび区画部の斜視図。
【図５】図１の小セットの平面図。
【図６】図５の容器および容器蓋の分解斜視図。
【図７】薬セットの製造および配送の手順の一例を示すフローチャート。
【図８】小セットの製造に関する第１工程を示す図。
【図９】小セットの製造に関する第２工程を示す図。
【図１０】小セットの製造に関する第３工程を示す図。
【図１１】第３工程の変形例を示す図。
【図１２】確認手段に処方薬情報を登録する作業を示す図。
【図１３】薬セットが配送ケースに収容された状態を示す図。
【図１４】確認手段を用いて処方薬情報を確認する作業を示す図。
【発明を実施するための形態】
【００１６】
(実施形態)
図１に示される薬セット１は１人または複数人の服用者が服用する処方薬を配送するために用いられる。処方薬を調剤した薬剤師から薬セット１の配送の委託を受けた者(以下「受託者」)は、薬局から服用者の居所まで薬セット１を含む荷物を配送する。服用者の居所は多種多様である。その一例は服用者が入居する老人福祉施設、服用者の自宅、および、服用者が入院する病院である。薬剤師またはこれに準ずる者(以下「薬剤師等」)は服用者の居所に配送された薬セット１を受託者から受け取り、薬セット１の内容を確認した後に薬セット１を服用者またはその代理人(以下「服用者等」)に渡す。薬剤師等は服用者が服用する処方薬に関する知識を有する者である。薬剤師に準ずる者の一例は医師、看護師、および、介護福祉士である。薬剤師等は服用者の居所において服用者等に薬セット１を引き渡す場合、必要に応じてその場で処方薬の処方の仕方を服用者等に説明する。
【００１７】
薬セット１は１または複数の小セット１０、外箱４０、および、確認手段１３０を備えている。小セット１０は服用条件に応じて分類された複数の処方薬を収容している。外箱４０は複数の小セット１０を収容している。外箱４０は配送のための梱包箱としての用途だけではなく、服用者の居所において小セット１０を収容する棚として用いることもできる。確認手段１３０は外箱４０に取り付けられている。薬剤師等は服用者の居所に薬セット１が配送された場合に薬剤師等が小セット１０の内容を確認するために用いられる。
【００１８】
図２に示されるように、薬セット１は小セット１０を外箱４０に出し入れできるように構成されている。このため、服用者は居所における小セット１０の取り扱い方法を選択できる。第１例では、服用者は小セット１０を外箱４０から取り出した状態で部屋等に保管する。第２例では、服用者は処方薬の服用時以外は小セット１０を外箱４０内に収容し、処方薬の服用時に小セット１０を外箱４０から取り出す。
【００１９】
外箱４０は小セット１０の形状に合わせて構成された専用のケースである。外箱４０を構成する材料は任意に選択できる。好ましい例では、薬セット１の配送時に外部から力が加えられた場合でも小セット１０の変形および破損等が生じないように小セット１０を適切に保護できる材料が用いられる。その一例は、合成樹脂、段ボール、および、金属である。より好ましい例では、薬セット１を取り扱う薬剤師等および受託者の負荷が軽減されるように軽量な材料が用いられる。
【００２０】
外箱４０は収容部５０および外箱蓋７０に区分される。収容部５０は小セット１０を収容できるように構成された箱である。収容部５０内には小セット１０が収容される空間(以下「収容空間５０Ａ」)が形成されている。収容部５０の側部には収容部５０に対して小セット１０を出し入れできるように開口部８０が設けられている。外箱蓋７０は開口部８０を開閉する。開口部８０が外箱蓋７０に閉じられることにより、薬セット１の配送時等において小セット１０の全体が保護される。収容部５０は四角形状の筒６１、および、筒６１の一方の開口を閉じる背壁６２に区分される。筒６１は天壁６１Ａ、底壁６１Ｂ、および、一対の側壁６１Ｃ、６１Ｄに区分される。開口部８０は筒６１の他方の開口である。
【００２１】
外箱蓋７０は収容部５０と接続されている。このため、薬セットの配送のための準備時において外箱蓋により開口部を閉じる作業が確実に実施される。外箱蓋７０は収容部５０の底壁６１Ｂと接続されている。このため、外箱蓋７０が収容部５０の開口部８０を開放した状態において、外箱蓋７０が開口部８０を閉じる方向に移動しにくく、小セット１０の取り扱いに関する作業性がより向上する。外箱４０は上記構成以外の種々の構成を取り得る。第１例では、外箱４０は収容部５０と外箱蓋７０とを分離できるように構成される。第２例では、外箱４０は筒６１と背壁６２とを分離できるように構成される。第３例では、外箱４０は筒６１を構成する各壁６１Ａ〜６１Ｄのうちの１枚または複数枚を互いに分離できるように構成される。第４例では、外箱４０は外箱蓋７０、筒６１の各壁６１Ａ〜６１Ｄ、および、背壁６２を全て分離できるように構成される。この場合、分離された外箱蓋７０、各壁６１Ａ〜６１Ｄ、および、背壁６２を重ね合わせることができるため、外箱４０を収容するためのスペースを削減できる。第５例では、外箱４０は１枚の板となるように折り畳むことができるように構成される。この場合にも外箱４０を収容するためのスペースを削減できる。
【００２２】
外箱４０は区画部９０をさらに備えている。区画部９０は収容空間５０Ａを複数の領域５１に区画する。各領域５１には規定数の小セット１０を収容できる。規定数は外箱４０の高さ方向において隣り合う区画部９０の間隔に応じて決められる。外箱４０内に収容できる小セット１０の最大数は、領域５１の総数と１つの領域５１の規定数との乗算により得られる値である。図３等に示される例では、外箱４０内が桟の組により１０の領域５１に区画されている。各領域５１の規定数は１である。このため、外箱４０内に収容できる小セット１０の最大数は１０である。
【００２３】
区画部９０の具体的な構成は任意に選択できる。図２および図３に示されるように、区画部９０の一例は第１側壁６１Ｃの内面に設けられた複数の桟９１、および、第２側壁６１Ｄの内面に設けられた複数の桟９２である。各桟９１、９２は各側壁６１Ｃ、６１Ｄに固定されている。同じ高さに設けられた一対の桟９１、９２は１つの組を構成している。桟の組は小セット１０を水平に支持できるように構成されている。区画部９０の別の一例は第１側壁６１Ｃと第２側壁６１Ｄとの間に設けられる１または複数の棚である。
【００２４】
図４に示されるように、小セット１０はトレイ１００、複数の容器２０、および、複数の容器蓋３０を備えている。トレイ１００は複数の容器２０を支持できるように構成されている。容器２０は服用条件に従って分類された処方薬２００(図６参照)を収容する。服用条件の一例は１日における服用時期、および、服用日数である。好ましい例では、１回の服用分の処方薬２００が１つの容器２０の薬収容部２１に収容される。容器２０は樹脂製のカップであり、薬収容部２１およびフランジ２２に区分される。薬収容部２１は処方薬を収容する空間２１Ｂを形成し、空間２１Ｂに対して処方薬を出し入れするための開口部２１Ａを有する。フランジ２２は薬収容部２１の開口部２１Ａの周囲に設けられている。１つの小セット１０に複数の容器２０が含まれる場合、各容器２０の関係は任意に選択できる。第１例では、各容器２０は分離した状態でトレイ１００に支持される。第２例では、各容器２０が繋がり１つの集合体を構成した状態でトレイ１００に支持される。好ましい例では、各容器２０を分離できるようにその集合体に分離のためのガイドが形成される。ガイドの例は切り込みおよびミシン目である。図４等では第１例の容器２０を示している。
【００２５】
小セット１０は外箱４０の幅方向および奥行き方向において外箱４０にフィットするように構成されている。このため、薬セット１の配送時において外箱４０内での小セット１０の移動がより確実に抑えられ、小セット１０が変形および破損するおそれが一層低減される。外箱４０と小セット１０とをフィットさせるための具体的な構成は任意に選択できる。一例では、トレイ１００の短辺および長辺の寸法が次のように設定されることにより、外箱４０と小セット１０とがフィットする。平面視におけるトレイ１００の形状は四角形であり、収容部５０の天壁６１Ａおよび底壁６１Ｂと相似している。トレイ１００の長辺の長さは一方の側壁６１Ｃの内面と他方の側壁６１Ｄの内面との距離よりも若干短い。トレイ１００の短辺の長さは外箱蓋７０の内面と背壁６２の内面との距離よりも若干短い。このため、外箱４０に小セット１０が収容された状態において、外箱４０の内面とトレイ１００の外周との間には微小な隙間が形成される。外箱４０の幅方向および奥行き方向においてトレイ１００が外箱４０に対して移動できる範囲は、上記の微小な隙間に制限される。このような外箱４０とトレイ１００との関係が外箱４０とトレイ１００とがフィットした状態の一例である。また、小セット１０が外箱４０内から引き出される場合、および、小セット１０が外箱４０内に収容される場合にトレイ１００の縁と各側壁６１Ｃ、６１Ｄとが接触しないため、小セット１０にかかる抵抗が小さく、小セット１０を容易に出し入れできる。
【００２６】
トレイ１００には容器２０を挿入するための複数の穴１００Ａが形成されている。容器２０の薬収容部２１はトレイ１００の穴１００Ａに挿入される。薬収容部２１が穴１００Ａに挿入され、フランジ２２がトレイ１００の穴１００Ａの周囲に引っ掛かることにより、容器２０がトレイ１００に支持される。一例では、１つのトレイ１００には１人の服用者が一定期間に服用する処方薬を収容した複数の容器２０が載せられる。この場合、トレイ１００の短辺方向における穴１００Ａの縦の列１００Ｘは、１日の服用回数であるＮ１回に対応した個数の穴１００Ａにより構成される。また、一定期間であるＮ２日に対応した数の列１００Ｘがトレイ１００の長辺方向に並べて形成される。
【００２７】
容器蓋３０は容器２０の開口部２１Ａ(図６参照)を閉じるようにフランジ２２に取り付けられている。容器蓋３０の構成は任意に選択できる。第１例では、１枚のシート内に複数の容器蓋３０が設けられる。シートには各容器蓋３０を分離するためのガイドが形成される。ガイドの一例はミシン目である。第２例では、複数の容器蓋３０は個別に形成され、それぞれ対応する容器２０に取り付けられる。
【００２８】
図６等では第１例の容器蓋３０を示している。小セット１０に設けられたシート３０Ｘ(図５参照)は複数の容器蓋３０を含む。シート３０Ｘの形状およびサイズは任意に選択できる。一例では、シート３０ＸはＡ４サイズの用紙である。このため、一般的な構成のプリンタを用いて容器蓋３０に各種の情報を印刷できる。シート３０Ｘ内に形成される容器蓋３０の形状は任意に選択できる。容器蓋３０の形状の例は楕円または多角形である。図６等では容器蓋３０の形状が六角形の場合を例示している。シート３０Ｘには容器蓋３０を象るようにミシン目３０Ｂが形成されている。このため、シート３０Ｘに含まれる複数の容器蓋３０のそれぞれをシート３０Ｘから個別に切り取ることができる。
【００２９】
図５および図６に示されるように、容器蓋３０の表面３０Ａには薬収容部２１に収容された処方薬に関する情報(以下「処方薬情報」)を表示する表示部３１が設けられている。このため、薬剤師等および服用者等は処方薬情報を容易に把握できる。処方薬情報は１種類または複数種類の情報を含む。処方薬情報の一例は、服用者の氏名、処方薬を服用する日付、処方薬の服用時期、および、処方薬の薬品名である。好ましい例では、表示部３１は服用者の個人情報保護のための構成をさらに含む。第１例では、処方薬情報が１次元コードまたは２次元コードにより表示される。第２例では、処方薬情報が直接的に視認できないように個人情報保護シールが表示部３１に貼り付けられる。図５に示される例では、表示部３１は時期表示部３１Ａおよび書誌情報表示部３１Ｂを含む。時期表示部３１Ａは薬収容部２１に収容される処方薬２００(図６参照)の服用時期を文字により表示している。書誌情報表示部３１Ｂは処方薬の服用者の氏名、および、処方薬を服用する日付を１次元コードにより表示している。なお、図１、図２、および、図４では表示部３１の図示を省略している。
【００３０】
図３に示されるように、薬セット１はスライド構造１１０をさらに備えている。スライド構造１１０は小セット１０を外箱４０に対して外箱４０の奥行き方向に沿ってスライドさせるための構造である。一例では、スライド構造１１０は各桟９１、９２、および、トレイ１００により構成されている。作業者はスライド構造１１０を利用して次のように小セット１０を外箱４０に出し入れできる。小セット１０を外箱４０内に入れる場合、開口部８０が開放された状態において小セット１０のトレイ１００の端部を各桟９１、９２に載せ、小セット１０が外箱４０内に収容されるように各桟９１、９２に沿ってトレイ１００をスライドさせる。小セット１０を外箱４０から取り出す場合、小セット１０が外箱４０外に移動するように各桟９１、９２に沿ってトレイ１００をスライドさせる。このように、作業者がスライド構造１１０を利用して小セット１０を出し入れできるため、小セット１０の取り扱いに関する作業性が向上する。
【００３１】
図１を参照して、確認手段１３０について説明する。確認手段１３０は服用者の居所に配送された薬セット１の小セット１０の内容と配送される前の薬セット１の小セット１０の内容とが同じであることを薬剤師等が確認するために用いられる。確認手段１３０の構成は任意に選択できる。第１例では、確認手段１３０は光学的方法を用いて容器２０の中身を確認可能な手段である。第２例では、確認手段１３０は電磁気的方法を用いて薬セット１の中身を確認可能な手段である。第３例では、確認手段１３０は外箱４０の開封を物理的に妨げ、第３者により開封された場合にその痕跡を事後的に確認できる手段である。その一例はバンドおよびチェーンである。
【００３２】
図１等に示される確認手段１３０は第２例の一例であり、ベルト１３１およびＩＣタグ１３２を含む。ベルト１３１は外箱４０の天壁６１Ａ、背壁６２、筒６１の底壁６１Ｂ、および、外箱蓋７０を横断するように外箱４０に取り付けられる。ＩＣタグ１３２は外箱４０の任意の位置に取り付けられる。ＩＣタグ１３２は多種多様な情報を記憶している。好ましい例では、ＩＣタグ１３２が記憶している情報は処方薬情報を含む。ＩＣタグ１３２への情報の登録は薬剤師が所有する専用のライタ装置１４０(図１２参照)により実行される。
【００３３】
図７を参照して、薬セット１の製造および配送に関する一連の作業の流れについて説明する。この作業は大きくは製造工程、配送工程、および、確認工程に区分される。製造工程はステップＳ１〜Ｓ５の工程を含む。配送工程はステップＳ６の工程を含む。確認工程はステップＳ７〜Ｓ９の工程を含む。
【００３４】
ステップＳ１では、薬剤師は薬局において小セット１０を製造する。ステップＳ２では、薬剤師は小セット１０を外箱４０内に収容する。ステップＳ３では、薬剤師は規定数の小セット１０が収容された外箱４０の外箱蓋７０を閉じ、確認手段１３０を外箱４０に取り付けることにより薬セット１を製造する。ステップＳ４では、薬剤師はライタ装置１４０(図１４参照)を用いてＩＣタグ１３２に処方薬情報を登録する。ステップＳ５では、薬剤師または受託者は複数の外箱４０を配送ケース４００内に収容する。ステップＳ６では、受託者は１または複数の配送ケース４００を薬局から服用者の居所に配送する。ステップＳ７では、薬剤師等は服用者の居所において受託者から配送ケース４００を受け取る。ステップＳ８では、薬剤師等は確認手段１３０を用いて薬セット１の中身が薬局で製造した薬セット１の中身と同じか否かを確認する。ステップＳ９では、薬剤師は薬セット１の中身が同じであることが確認できた場合、その薬セット１を服用者等に引き渡す。
【００３５】
各ステップの詳細について説明する。ステップＳ１では、第１工程〜第３工程が実施される。図８に示されるように第１工程では、薬剤師は複数の容器２０を作業台３００にセットし、処方箋に基づいて処方薬２００を各容器２０の薬収容部２１に収容する。図９に示されるように第２工程では、薬剤師は各容器２０に１枚のシート３０Ｘを貼り付けることにより、シート３０Ｘと複数の容器２０とにより構成される１組のセットを製造する。図１０に示されるように第３工程では、薬剤師は第２工程で製造したセットをトレイ１００に配置する。各容器蓋３０が個別に形成される例では、図１１に示されるように各容器２０に個別に容器蓋３０が取り付けられ、それぞれトレイ１００に配置される。
【００３６】
図１３に示されるように、ステップＳ５では、薬剤師または受託者は、複数の薬セット１を配送ケース４００に収納する。服用者毎に複数の薬セット１が用意される場合、その複数の薬セット１が１つの配送ケース４００に収納されることにより、配送ケース４００と服用者とを紐付けできるため、配送ケース４００を容易に管理できる。
【００３７】
図１４に示されるように、ステップＳ８では、薬剤師等はリーダ装置１５０を用いてＩＣタグ１３２に記録されている処方薬情報を読み取り、薬セット１内の小セット１０の内容が薬局で製造した薬セット１内の小セット１０の内容と同じか否かを確認する。一例では、薬剤師等はリーダ装置１５０により読み取られた処方薬情報と照合するための情報が記録された照合手段を予め用意し、処方薬情報を照合手段の情報と対比することにより、配送された薬セット１の中身が配送される前の薬セット１の中身と同じか否かを確認する。照合手段は例えば処方薬情報と照合するための情報が記録された書類または電子データである。配送された薬セット１内の処方薬２００が配送前の薬セット１内の処方薬２００と同じであることが確認できた場合、薬剤師等は薬セット１を服用者等に渡す。服用者は薬剤師等から渡された薬セット１を保管し、服用時期が到来したときに薬セット１から処方薬２００を取り出し、処方薬２００を服用する。
【００３８】
薬セット１によれば次のような作用および効果が得られる。薬セット１によれば、小セット１０が外箱４０に収容されるため、服用者に処方薬２００が渡されるまでの間、処方薬２００が適切に保護される。また、外箱４０内に収容されている小セット１０を外箱４０の開口部８０から引き出すことができるため、小セット１０の取り扱いに関する作業性が向上する。また、受託者から薬セット１が引き渡された段階で薬剤師等により処方薬２００の内容が確認されるため、服用者等は薬局において薬剤師から処方薬２００を直接受け取る場合と類似した環境で薬セット１を薬剤師等から受け取ることができる。このため、服用者は十分な安心感をもって処方薬２００を服用できる。
【符号の説明】
【００３９】
１    ：薬セット
１０  ：小セット
２０  ：容器
３１  ：表示部
４０  ：外箱
５０  ：収容部
５１  ：領域
６１  ：筒
６１Ｂ：底壁(底)
６２  ：背壁
７０  ：外箱蓋
８０  ：開口部
９０  ：区画部
１１０：スライド構造
２００：処方薬
【図１】
2018201649.tif 000003
【図２】
2018201649.tif 000004
【図３】
2018201649.tif 000005
【図４】
2018201649.tif 000006
【図５】
2018201649.tif 000007
【図６】
2018201649.tif 000008
【図７】
2018201649.tif 000009
【図８】
2018201649.tif 000010
【図９】
2018201649.tif 000011
【図１０】
2018201649.tif 000012
【図１１】
2018201649.tif 000013
【図１２】
2018201649.tif 000014
【図１３】
2018201649.tif 000015
【図１４】
2018201649.tif 000016